(57)【要約】【課題】  間口の広い生ゴミ投入台をそなえ、一方端部に排出口を設けた長形シンクにおいて、箸やスプーンなどの異物が排出口に流入しないようにした異物流入防止装置を提供する。【解決手段】  間口を広くした生ゴミの投入台２と、底面を長手方向に傾斜させて上方から水とともに生ゴミを流す排出溝５をそなえ、排出溝５の下流端に排出口６を設けて投入された生ゴミを処理する社員食堂など多人数が同時に使用する長形のシンク１において、排出口６付近のスペース７を広くし、前記スペース７内に投入台２の端部と適宜の間隔でシンク１を斜め方向に横切り、生ゴミを通す開口部１１をそなえた仕切り板１０を設け、前記仕切り板１０の開口部１１に対向させて開口部１１に流入する異物の先端を受け止める当て板１２をそなえる。【選択図】        図１
2008255608.tif 000002
【特許請求の範囲】
【請求項１】
間口を広くした生ゴミの投入台と、底面を長手方向に傾斜させて上方から水とともに生ゴミを流す排出溝をそなえ、排出溝の下流端に排出口を設けて投入された生ゴミを処理する長形のシンクにおいて、排出口付近のスペースを広くし、前記スペース内に投入台の端部と適宜の間隔でシンクを横切り、生ゴミを通す開口部をそなえた仕切り板を設け、前記仕切り板の開口部に対向させて開口部に流入する異物の先端を受け止める当て板をそなえたことを特徴とする長形シンクの異物流入防止装置。
【請求項２】
前記仕切り板が、斜め方向にシンクを横切り、下流側に開口部を設けている請求項１記載の長形シンクの異物流入防止装置。
【請求項３】
前記仕切り板と当て板を一体に形成し、シンクに着脱可能に取り付けた請求項１または２記載の長形シンクの異物流入防止装置。
【発明の詳細な説明】
【技術分野】
【０００１】
本発明は、間口の広い生ゴミ投入台をそなえ、一方端部に排出口を設けた長形シンクにおいて、箸やスプーンなどの異物が排出口に流入しないようにした異物流入防止装置に関する。
【背景技術】
【０００２】
従来、社員食堂や学食の食堂などのように、多数の人がそれぞれ生ゴミ（残飯）を自分でシンクに投入廃棄する施設においては、複数の人が同時に廃棄できるように投入台の間口を広くし、底面を傾斜させた排出溝を設けて上方から水とともに投入された生ゴミを下流端の排出口に流入させ、必要に応じて排出口にディスポーザーを連結して粉砕処理するシンク（特許文献１参照）が用いられており、箸やスプーンなどの食器類は、シンクとは別の収納箱に投入するようにしている。
【０００３】
また、排出口に取り付けて異物の流入を防ぐ防止具として、シンクの排出口に嵌合する保持環と小径の受け環をそなえ、受け環に長い異物を乗り上げさせて流入を防ぎ、保持環の外側にシンク面と間隙を設けた押さえ環を取り付けて異物を挟み込ませるようにした流入防止具（特許文献２参照）が提案されている。
【０００４】
【特許文献１】特開２００３−１１７４２３号公報
【特許文献２】特開平１０−３７２６５号公報
【発明の開示】
【発明が解決しようとする課題】
【０００５】
このように多人数が同時に利用する食堂施設では、生ゴミと箸やスプーンなどの異物とは分別するようにしているが、誤って異物をシンクに投入することがあり、水流によって排出口に異物が流入すると、排出口に連結された排水管に詰まりを生じさせたり、ディスポーザーの運転を阻害するおそれがある。
【０００６】
また、複数の人が同時に生ゴミをシンクに投入するため、多量の生ゴミが排出口に流れ込み、流入防止用の環状体をそなえていても生ゴミに混入された異物がシンクの底面から持ち上げられて防止具の環を越えて異物の先が排出口に向かって縦方向になり、排出口に流入することを完全に防ぐことができなかった。
また、多量の生ゴミが一時に投入されると、排出口に大量の生ゴミが流れ込むため、排出口付近のスペースを広くして生ゴミを溜め、平均化して排出口に流入させることが望ましいが、排出口周囲のスペースを広くすることで流れ込んだ異物の方向が変わりやすく、水の流れに沿って先端が排出口に向かい排出口に流入する欠点を生じている。
【課題を解決するための手段】
【０００７】
本発明は上記の点にかんがみ、請求項１の発明は、間口を広くした生ゴミの投入台と、底面を長手方向に傾斜させて上方から水とともに生ゴミを流す排出溝をそなえ、排出溝の下流端に排出口を設けて投入された生ゴミを処理する長形のシンクにおいて、排出口周囲のスペースを広くして生ゴミをいったん溜め、排出口に流入する生ゴミの量を平均化させるとともに、前記スペース内に投入台の端部と適宜の間隔でシンクを横切り、生ゴミを通す開口部をそなえた仕切り板を設け、前記仕切り板の開口部に対向させて開口部に流入する異物の先端を受け止める当て板をそなえて異物が開口部を通過しないようにしている。
なお、前記排出口にディスポーザーを連結して、生ゴミを粉砕処理することができる。
【０００８】
また、請求項２の発明は、前記仕切り板が、シンクを斜め方向に横切り、下流側に開口部を設けて開口部への生ゴミの流入を円滑にしている。
なお、請求項３の発明では、前記仕切り板と当て板を一体に形成し、シンクに着脱可能に取り付けられるようにしている。
【発明の効果】
【０００９】
このように本発明は、間口の広い投入台をそなえ、底面を傾斜させて上方から水とともに生ゴミを流す排出溝をそなえ、下流端に排出口を設けた長形のシンクにおいて、前記排出口周囲のスペースを広くしており、多量に投入される生ゴミを排出口周囲にいったん溜めて排出口に流入する生ゴミの量を平均化させることができ、このスペースの投入台側に仕切り板を設け、仕切り板の開口部から生ゴミと水を通過させるとともに、開口部に対向させて設けた当て板により異物の先端を受け止めるようにしているので、異物が開口部を通って排出口に流入することを確実に防止できる効果が得られる。
【実施例】
【００１０】
これを図に示す実施例について説明する。
１はシンク、２はシンク１内の間口に沿って設けた投入台で、手前（図の上方）を高くして矢示方向に傾斜させ、給水管３からの水シャワー４で排出溝５に生ゴミを落とすようにしている。排出溝５は底面を傾斜させて投入台から落ちた生ゴミを水とともにシンクの一方端に向けて流すようにしている。６は排出溝５の下流側になるシンク１の端部に設けた排出口、７は排出口周囲のスペース、８は排出口５に連結したディスポーザーである。
【００１１】
１０は投入台２の端から生ゴミを流入させる間隔を設けて設置された仕切り板で、排出口５からの生ゴミの流れに沿って排出溝５側から斜め方向にシンクを横切り、下流端に生ゴミを通す開口部１１をそなえている。１２は前記開口部１１に対向させた受け板で、シンクの片側に設けられた前記開口部１１から流入する生ゴミをスペース７の中央部に誘導するとともに、開口部１１を通る異物の先端を図１に点線で示すように受け止めて通過させないようにしている。１３は仕切り板７の保持板である。
【００１２】
仕切り板１０と投入台２との間隔は、排出溝５から開口部１１を通って流入する生ゴミが流通する幅があればよく、異物の長さより小さくして先端を受け板１２に当てた異物が生ゴミに押されて向きを変えないようにしているが、仕切り板１０と投入台２との間隔が大きいときは、図５のようにガイド板１４を取り付けて間隔を小さくすれば良い。
【００１３】
複数の人が間口に並んで投入台２に生ゴミを捨てると、生ゴミは水シャワー４の水とともに反対側の排出溝５に流れ落ち、底面の傾斜に沿って仕切り板１０に向かって右方向に流れ、仕切り板１０に当って流れの方向を変え、仕切り板１０の面に沿って流れ開口部１１を通って受け板１２でスペース７の中央部に向かって流入する。スペース７内に溜まった生ゴミは排出口６から排出される。
【００１４】
投入台２に投入された生ゴミに箸やスプーンなどの長めの異物が混入していると、排出溝５から仕切り板１０に当たって長さ方向が仕切り板１０とほぼ平行になり、先端が開口部１１に入っても受け板１２に当たって向きを変えられずに保持され、スペース７に流入することがなく取り出され、排出口６への流入を確実に防止できる。
【００１５】
仕切り板１０は、図の実施例に示すように受け板１２と保持板１３とを一体にして折り曲げ形成し、図示しない取手を付けてシンクに着脱可能にすることもでき、仕切り板１０と受け板１２の曲げ角度は、開口部１１からの生ゴミの流れを阻害しない程度で適宜に選択することができる。
また、仕切り板１０と受け板１２は、それぞれ別個にシンク１の内側に取り付けるようにしてもよい。
【図面の簡単な説明】
【００１６】
【図１】本発明の実施例を示す上面図である。
【図２】図１のＡ−Ａ断面図である。
【図３】図１のＢ−Ｂ断面図である。
【図４】図１の実施例における仕切り板の拡大斜視図である。
【図５】別の実施例における一部上面図である。
【符号の説明】
【００１７】
１  シンク
２  投入台
３  給水管
４  水シャワー
５  排出溝
６  排出口
７  スペース
８  ディスポーザー
１０  仕切り板
１１  開口部
１２  受け板
１３  保持板
１４  ガイド板
【図１】
2008255608.tif 000003
【図２】
2008255608.tif 000004
【図３】
2008255608.tif 000005
【図４】
2008255608.tif 000006
【図５】
2008255608.tif 000007